(57)【要約】【課題】目的に合うように広告テンプレートを自在に選択して広告を容易に事前確認することである。【解決手段】広告作成支援装置は、所定の表示領域を表示領域３０１と表示領域３３０とに分割設定し、入力された写真の画像データに基づいて所定の画像解析で特定された特定型分類の広告のテンプレート３１１，３２１，３２２，３２３を、汎用型分類の広告のテンプレート３１２，３１３とともに、表示領域３０１に表示させ、表示領域３０１に表示されているテンプレート３１１，３２１，３２２，３２３，３１２，３１３のなかから何れかのテンプレートが選択された場合に、当該テンプレートに、入力された写真が当て嵌められた広告を、表示領域３３０にプレビュー表示させる。【選択図】図８
2020087280.tif 000002
【特許請求の範囲】
【請求項１】
所定の表示領域を少なくとも第１表示領域と第２表示領域とに分割設定する表示領域設定手段と、
入力された写真の画像データに基づいて所定の画像解析で特定された少なくとも１つの特定型分類の広告テンプレートを、複数の汎用型分類の広告テンプレートとともに、前記第１表示領域に表示させる第１表示制御手段と、
前記第１表示領域に表示されている前記少なくとも１つの特定型分類の広告テンプレート及び前記複数の汎用型分類の広告テンプレートのなかから何れかの広告テンプレートが選択された場合に、当該広告テンプレートに前記入力された写真が当て嵌められた広告を、前記第２表示領域にプレビュー表示させる第２表示制御手段と、
を備えたことを特徴とする広告作成支援装置。
【請求項２】
前記表示領域設定手段は、前記第１表示領域を、
広告テンプレートグループに属している広告テンプレートを例示代表するための例示代表広告テンプレートが、複数の広告テンプレートグループに対して表示される第１サブ表示領域と、
前記第１サブ表示領域に表示されている複数の例示代表広告テンプレートのなかから何れかの例示代表広告テンプレートが選択された場合に、この選択された例示代表広告テンプレートと同じ広告テンプレートグループに属している広告テンプレートが表示される第２サブ表示領域と、
に分割設定する、
ことを特徴とする請求項１に記載の広告作成支援装置。
【請求項３】
前記広告テンプレートグループは、前記特定型分類の広告テンプレート及び前記汎用型分類の広告テンプレートのいずれか１つを含む複数の広告テンプレートからなるグループである、
ことを特徴とする請求項２に記載の広告作成支援装置。
【請求項４】
前記第１サブ表示領域は、複数の例示代表広告テンプレートが、所定の方向に並べて表示されるように設定されており、
前記第２サブ表示領域は、複数の広告テンプレートが、前記所定の方向に対して直交する方向に並べて表示されるように設定されている、
ことを特徴とする請求項２又は３に記載の広告作成支援装置。
【請求項５】
前記表示領域設定手段は、前記第１サブ表示領域及び前記第２サブ表示領域を、前記第２表示領域の周囲に位置するように設定する、
ことを特徴とする請求項２から４の何れか一項に記載の広告作成支援装置。
【請求項６】
前記所定の画像解析により、写真の画像データの被写体の種類を画像解析して当該被写体の種類を出力する画像解析手段に、前記入力された写真の画像データを入力して被写体の種類を取得する取得手段を備え、
前記第１表示制御手段は、前記取得された被写体の種類に対応する特化型分類の広告テンプレートを表示させる、
ことを特徴とする請求項１から５の何れか一項に記載の広告作成支援装置。
【請求項７】
前記画像解析手段は、人工知能により、入力された写真の画像データとその被写体の種類との対応の学習を行い、
前記所定の画像解析は、前記学習の結果を用いて前記入力された写真の画像データの被写体の種類を特定する画像解析である請求項６に記載の広告作成支援装置。
【請求項８】
前記プレビュー表示された広告に基づいて、広告データを作成する広告データ作成手段を備える、
ことを特徴とする請求項１から７の何れか一項に記載の広告作成支援装置。
【請求項９】
コンピュータを、
所定の表示領域を少なくとも第１表示領域と第２表示領域とに分割設定する表示領域設定手段、
入力された写真の画像データに基づいて所定の画像解析で特定された少なくとも１つの特定型分類の広告テンプレートを、複数の汎用型分類の広告テンプレートとともに、前記第１表示領域に表示させる第１表示制御手段、
前記第１表示領域に表示されている前記少なくとも１つの特定型分類の広告テンプレート及び前記複数の汎用型分類の広告テンプレートのなかから何れかの広告テンプレートが選択された場合に、当該広告テンプレートに前記入力された写真が当て嵌められた広告を、前記第２表示領域にプレビュー表示させる第２表示制御手段、
として機能させるためのプログラム。
【発明の詳細な説明】
【技術分野】
【０００１】
本発明は、広告作成支援装置及びプログラムに関する。
【背景技術】
【０００２】
従来、食堂、レストランなどにおいて、提供する料理などの販促効果を高める目的でＰＯＰ（Point Of Purchase advertising）データなどの広告をＰＣ（Personal Computer）などにより作成する技術が知られている。ＰＯＰデータは、グラフィックのデザイン性が高いものが好ましい。
【０００３】
また、文字に対する図版の視覚的な強さの規定、表現する媒体内の領域に対する図版の専有面積比率の規定、文字の揃え位置の規定などに応じて、カテゴリーとして複数のテンプレートを分類し、所望のカテゴリーのテンプレートを用いて、文字及び図版を配置したグラフィックデザインを作成するコンピュータ端末が知られている（特許文献１参照）。ここでのテンプレートは、文字及び図版が埋め込まれてグラフィックデザインとなる定型のフォーマットである。
【先行技術文献】
【特許文献】
【０００４】
【特許文献１】特開２００６−１１９７４０号公報
【発明の概要】
【発明が解決しようとする課題】
【０００５】
しかし、ＰＯＰデータ作成にテンプレートを用いる場合に、どのテンプレートを選べば店の雰囲気や料理内容に合うＰＯＰになるかをユーザが考えて選択する必要がある。このため、ユーザが目的に合うようにテンプレートを自在に選択して（試して）ＰＯＰデータを容易に事前確認することが好ましい。
【０００６】
本発明の課題は、目的に合うように広告用のテンプレートを自在に選択して広告を事前確認することである。
【課題を解決するための手段】
【０００７】
上記課題を解決するために、本発明の広告作成支援装置は、所定の表示領域を少なくとも第１表示領域と第２表示領域とに分割設定する表示領域設定手段と、入力された写真の画像データに基づいて所定の画像解析で特定された少なくとも１つの特定型分類の広告テンプレートを、複数の汎用型分類の広告テンプレートとともに、前記第１表示領域に表示させる第１表示制御手段と、前記第１表示領域に表示されている前記少なくとも１つの特定型分類の広告テンプレート及び前記複数の汎用型分類の広告テンプレートのなかから何れかの広告テンプレートが選択された場合に、当該広告テンプレートに前記入力された写真が当て嵌められた広告を、前記第２表示領域にプレビュー表示させる第２表示制御手段と、
を備えたことを特徴とする。
【発明の効果】
【０００８】
本発明によれば、目的に合うように広告テンプレートを自在に選択して目的に合うように広告を事前確認できる。
【図面の簡単な説明】
【０００９】
【図１】本発明の実施の形態の広告作成支援システムを示す全体構成図である。
【図２】ＰＯＰサーバの機能構成を示すブロック図である。
【図３】端末装置の機能構成を示すブロック図である。
【図４】（ａ）は、ユーザテーブルを示す図である。（ｂ）は、テンプレートテーブルを示す図である。（ｃ）は、ＰＯＰ履歴テーブルを示す図である。
【図５】ＰＯＰデータ管理処理を示すフローチャートである。
【図６】ＰＯＰデータ作成処理を示すフローチャートである。
【図７】（ａ）は、ホーム画面を示す図である。（ｂ）は、ＰＯＰ情報入力画面を示す図である。
【図８】テンプレート選択画面を示す図である。
【図９】ＰＯＰデータ登録結果画面を示す図である。
【図１０】人気Ｎｏ．１のテンプレートを用いたＰＯＰデータを示す図である。
【図１１】本日限定のテンプレートを用いたＰＯＰデータを示す図である。
【発明を実施するための形態】
【００１０】
以下、添付図面を参照して本発明に係る実施の形態を詳細に説明する。なお、本発明は、図示例に限定されるものではない。
【００１１】
図１〜図１１を参照して、本発明に係る実施の形態を説明する。まず、図１〜図３を参照して、本実施の形態の装置構成を説明する。図１は、本実施の形態の広告作成支援システム１を示す全体構成図である。図２は、ＰＯＰサーバ１０の機能構成を示すブロック図である。図３は、端末装置３０の機能構成を示すブロック図である。
【００１２】
本実施形態の広告作成支援システム１は、広告としてのＰＯＰデータを作成するシステムであって、ユーザの操作に応じて、ＰＯＰデータを作成および管理するシステムである。
【００１３】
図１に示すように、広告作成支援システム１は、広告作成支援装置としてのＰＯＰサーバ１０と、画像解析手段としての画像解析サーバ２０と、端末装置３０と、印刷装置４０と、を備える。広告作成支援システム１の各装置は、通信ネットワークＮを介して通信接続されている。
【００１４】
本実施の形態では、端末装置３０のユーザが、食堂、レストランなどの飲食店舗のオーナー、従業員などとし、ＰＯＰデータは、当該飲食店舗で提供する料理の広告であるものとして説明する。ＰＯＰサーバ１０は、複数の飲食店舗の各ユーザそれぞれにＰＯＰデータ作成のサービスを提供する。
【００１５】
ＰＯＰサーバ１０は、販売促進を目的とする広告としてＰＯＰデータを作成し、作成されたＰＯＰデータを管理するサーバ装置である。ＰＯＰサーバ１０は、端末装置３０からの要求に応じて、ＰＯＰデータを作成するための表示情報を端末装置３０に送信し、また操作入力されたＰＯＰデータを作成するための入力情報を端末装置３０から受信する。
【００１６】
画像解析サーバ２０は、ＡＩ（Artificial Intelligence）を搭載し、ＰＯＰサーバ１０などの要求元から受信した写真の画像データの被写体を画像解析し、その画像解析の結果情報を要求元に返送するサービスを提供するサーバ装置である。画像解析サーバ２０は、画像解析のための学習機能を有する。例えば、ＰＯＰサーバ１０などから所定の料理を撮影した写真の画像データとその料理名とを対応付けて画像解析サーバ２０に送信し、画像解析サーバ２０が、写真の画像データの特徴と料理名との対応関係を学習し、その学習結果を画像解析に反映する。画像解析サーバ２０は、入力された写真の画像データの画像解析の結果情報として、例えば、料理名Ｄ１：９０％、料理名Ｄ２：１０％のように、写真中の料理から判断される料理名と、その料理名が正解である確率（ヒット率）と、を対応付けて少なくとも１組を出力する。
【００１７】
端末装置３０は、各ユーザが所持する端末装置であり、ここでは、比較的画面が小さい携帯端末としてのスマートフォンであるものとして説明する。ただし、これに限定されるものではなく、端末装置３０が、タブレットＰＣ（Personal Computer）、ノートＰＣや、デスクトップＰＣなどとしてもよい。端末装置３０は、ＰＯＰサーバ１０から送信される各種表示情報を受信して表示し、またユーザの操作入力を受け付けてその操作情報をＰＯＰサーバ１０へ送信する。
【００１８】
印刷装置４０は、電子写真式、インクジェット式などのプリンタであって、ここでは、コンビニエンスストアに設置された業務用プリンタであるものとして説明する。ただし、これに限定されるものではなく、ユーザの店舗、住居などに設けられたユーザ用のプリンタとしてもよい。印刷装置４０は、ＰＯＰサーバ１０から受信したＰＯＰデータなどを用紙上に印刷する。
【００１９】
通信ネットワークＮは、インターネットにより構成されているものとするが、ＬＡＮ（Local Area Network）、ＷＡＮ（Wide Area Network）などを含めてもよい。端末装置３０は、通信ネットワークＮ上の基地局又はアクセスポイント（図示略）との無線通信を介して通信ネットワークＮ接続されている。
【００２０】
また、広告作成支援システム１は、各種端末装置３０で利用される他のアプリケーションプログラムを実行可能なように構成されていてもよい。当該アプリケーションプログラムとしては、例えば、店舗等の日別・月別の売上集計や分析を行う売上管理業務や、固定資産税や個人事業税等の納税処理を行う会計管理業務や、従業員の給与計算の処理を行う給与管理業務や、店舗等の人員シフトの管理と従業員の勤怠管理の処理を行う就業管理業務や、関連事業者や従業員への通達文書の作成・管理を行う文書管理業務等を行うものが挙げられ、これらが実行可能とされていることで、広告作成支援システム１が経営支援システムとして機能するものとしてもよい。
【００２１】
次いで、図２を参照して、ＰＯＰサーバ１０の内部構成を説明する。図２に示すように、ＰＯＰサーバ１０は、表示領域設定手段、第１、第２表示制御手段、広告データ作成手段としてのＣＰＵ（Central Processing Unit）１１と、操作部１２と、ＲＡＭ（Random Access Memory）１３と、表示部１４と、記憶部１５と、取得手段としての通信部１６と、計時部１７と、を備える。ＰＯＰサーバ１０の各部は、バス１８を介して接続されている。
【００２２】
ＣＰＵ１１は、記憶部１５に記憶されているシステムプログラム、アプリケーションプログラムのうち指定されたプログラムを読み出してＲＡＭ１３のワークエリアに展開し、当該展開されたプログラムに従って各部を制御する。
【００２３】
操作部１２は、カーソルキー、文字、数字入力キー及び各種機能キー等を備えたキーボード、マウスなどのポインティングデバイスを含む構成とし、ユーザによる各キーの押下入力、位置入力を受け付けてその操作情報をＣＰＵ１１に出力する。
【００２４】
ＲＡＭ１３は、揮発性のメモリである。また、ＲＡＭ１３は、実行される各種プログラムやこれら各種プログラムに係るデータなどを格納するワークエリアを有する。
【００２５】
表示部１４は、ＬＣＤ（Liquid Crystal Display）、ＥＬ（ElectroLuminescence）ディスプレイ等で構成され、ＣＰＵ１１からの表示制御信号に従って画面表示を行う。
【００２６】
記憶部１５は、ＨＤＤ（Hard Disk Drive）、ＳＳＤ（Solid State Drive）などにより構成される。記憶部１５には、ＣＰＵ１１で実行されるシステムプログラムやアプリケーションプログラム、や各種データなどが記憶されている。これらのプログラムは、コンピュータ読み取り可能なプログラムコードの形態で記憶部１５に格納されている。
【００２７】
記憶部１５は、後述するＰＯＰデータ管理プログラムＰ１、ユーザテーブル５０、テンプレートテーブル６０、ＰＯＰ履歴テーブル７０や、各ユーザが有する料理の写真の画像データ、ＰＯＰデータ作成に用いるテンプレート、作成したＰＯＰデータなどを記憶する。記憶部１５に記憶されるテンプレートは、料理の写真の画像データを用いるデザインとなっており、例えばデザイナーなどの専門家により作成されている。
【００２８】
通信部１６は、ルータ、ネットワークカードなどにより構成される。ＣＰＵ１１は、通信部１６を介して、通信ネットワークＮ上の画像解析サーバ２０、端末装置３０、印刷装置４０などと通信接続してデータの送受信を行う。
【００２９】
計時部１７は、リアルタイムクロックであり、現在日時を計時し、その現在日時情報をＣＰＵ１１に出力する。
【００３０】
次いで、図３を参照して、端末装置３０の内部構成を説明する。図３に示すように、端末装置３０は、ＣＰＵ３１と、操作部３２と、ＲＡＭ３３と、表示部３４と、記憶部３５と、無線通信部３６と、撮像部３７と、通話部３８と、を備える。端末装置３０の各部は、バス３９を介して接続されている。
【００３１】
ＣＰＵ３１、ＲＡＭ３３、表示部３４は、それぞれ、ＰＯＰサーバ１０のＣＰＵ１１、ＲＡＭ１３、表示部１４の構成と略同様であり、異なる部分を主として説明する。
【００３２】
ＣＰＵ３１は、記憶部３５に記憶されているシステムプログラム、アプリケーションプログラムのうち指定されたものを読み出してＲＡＭ３３のワークエリアに展開し、当該展開されたプログラムに従って各部を制御する。特に、ＣＰＵ３１は、無線通信部３６を介してＰＯＰサーバ１０から受信した各種表示情報を表示部３４に表示し、操作部３２を介してユーザからの操作入力された入力情報を、適宜無線通信部３６を介してＰＯＰサーバ１０に送信する。
【００３３】
操作部３２は、表示部３４の表示画面上に設けられたタッチパネルであり、ユーザからのタッチ入力を受け付け、その操作情報をＣＰＵ３１に出力する。
【００３４】
記憶部３５は、フラッシュメモリなどの不揮発性のメモリにより構成される。記憶部３５には、ＣＰＵ３１で実行される各種プログラム、各種データなどが記憶されている。
【００３５】
無線通信部３６は、アンテナ、変復調回路、信号処理回路などを有し、通信ネットワークＮ上の基地局又はアクセスポイントと、モバイル通信方式、無線ＬＡＮ通信方式などの通信方式で無線通信を行う。ＣＰＵ３１は、無線通信部３６を介して、通信ネットワークＮ上のＰＯＰサーバ１０などと通信を行う。
【００３６】
撮像部３７は、光学系及び撮像素子を有するデジタルカメラ部であり、ＣＰＵ３１の指示に従い、被写体を撮像してその画像データを生成する。
【００３７】
通話部３８は、マイク、スピーカを有し、通話用に、マイクを介してユーザの音声入力を受け付けて音声データを生成して出力し、また入力された音声データをスピーカから音声出力する。
【００３８】
端末装置３０には、図示しないが電池などの電源部を備え、他にも、ＮＦＣ（Near Field Communication）などの近距離通信部など、他の構成部を備える構成としてもよい。
【００３９】
つぎに、図４を参照して、ＰＯＰサーバ１０の記憶部１５に記憶する情報を説明する。図４（ａ）は、ユーザテーブル５０を示す図である。図４（ｂ）は、テンプレートテーブル６０を示す図である。図４（ｃ）は、ＰＯＰ履歴テーブル７０を示す図である。
【００４０】
ユーザテーブル５０は、ユーザに関する情報を有するテーブルである。図４（ａ）に示すように、ユーザテーブル５０は、ユーザＩＤ５１、業態５２、ログインＩＤ５３、パスワード５４、マイ画像場所５５、ＨＰ（Home Page）情報５６、ＳＮＳ（Social Networking Service）情報５７などのカラムを有する。
【００４１】
ユーザＩＤ５１は、各ユーザの識別情報である。業態５２は、ユーザＩＤ５１のユーザが所属する飲食店舗の業態を示す情報であり、ここでは簡単に、和食、洋食、中華の業態があるものとする。ログインＩＤ５３は、後述するＰＯＰ管理処理のユーザＩＤ５１のユーザのログインＩＤである。パスワード５４は、ログインＩＤ５３に対応するパスワードである。
【００４２】
マイ画像場所５５は、ユーザＩＤ５１のユーザが有する画像データ（マイ画像データ）の記憶部１５内の格納場所である。ＨＰ情報５６は、ユーザＩＤ５１のユーザのホームページのファイルの記憶部１５内の格納場所、ホームページのＵＲＬ（Uniform Resource Locator）などの情報である。ＳＮＳ情報５７は、ユーザＩＤ５１のユーザが参加するＳＮＳのＵＲＬ、当該ユーザのアカウント情報などである。
【００４３】
テンプレートテーブル６０は、記憶部１５に記憶されているテンプレートに関する情報を格納するテーブルである。図４（ｂ）に示すように、テンプレートテーブル６０は、主分類６１、副分類６２、グループ名６３、キーワード６４、テンプレートＩＤ６５などのカラムを有する。
【００４４】
主分類６１は、テンプレートの主分類であり、特化型又は汎用型であるものとする。特化型は、料理に特化して対応付けられるテンプレートの分類である。汎用型は、料理以外の、人気、イベント、おすすめなどに対応付けられるテンプレートの分類である。
【００４５】
副分類６２は、主分類６１の下層としてのテンプレートの副分類である。主分類６１が特化型である場合に、副分類６２は、料理：（分類する料理の料理名）が格納されている。主分類６１が汎用型である場合に、副分類６２は、人気Ｎｏ．１、本日限定などが格納されている。人気Ｎｏ．１は、飲食店舗で人気が最も高い料理用のテンプレートの分類である。本日限定は、飲食店舗で本日限定で提供される料理用のテンプレートの分類である。
【００４６】
しかし、主分類６１が汎用型である副分類６２は、これに限定するものではなく、飲食店舗で人気が最も高い料理用のテンプレートの分類としての期間限定、飲食店舗で季節（例えば、春夏秋冬）限定で提供される料理用のテンプレートの分類としての季節の逸品、ランチ限定で提供される料理用のテンプレートの分類としてのランチ限定、飲食店舗のユーザがおすすめする料理用のテンプレートの分類としてのおすすめなど、他の分類としてもよい。
【００４７】
グループ名６３は、テンプレートが分類されるグループの名称である。グループ名６３について、副分類６２が人気Ｎｏ．１である場合に、飲食店舗業態に応じて、人気Ｎｏ．１（和）：和食、人気Ｎｏ．１（洋）：洋食、人気Ｎｏ．１（中）：中華のグループに分けられている。
【００４８】
キーワード６４は、画像解析サーバ２０からの解析結果情報からテンプレートを抽出するためのキーワードである。テンプレートＩＤ６５は、主分類６１、副分類６２、グループ名６３、キーワード６４に対応するテンプレートの識別情報である。テンプレートＩＤ６５は、１つのレコードに、３つのテンプレートＩＤが格納されているが、これは、デザインのバリエーションとして色（配色）が互いに異なるテンプレートのテンプレートＩＤである。ただし、１つのレコードのテンプレートＩＤの数、デザインのバリエーションの内容は、これらに限定されるものではない。テンプレートのデザインのバリエーションの内容としては、テンプレートの色に限定されるものではなく、テンプレートの色、レイアウト、含まれる文字のレイアウト（大きさ、字体、フォントなどを含む）や内容、画像データの配置場所などの少なくとも１つとしてもよい。
【００４９】
ＰＯＰ履歴テーブル７０は、作成され記憶部１５に記憶されているＰＯＰデータに関する履歴情報を有するテーブルである。図４（ｃ）に示すように、ＰＯＰ履歴テーブル７０は、ＰＯＰＩＤ７１、テンプレートＩＤ７２、料理７３、分類７４、ユーザＩＤ７５、作成日時７６、更新日時７７などのカラムを有する。
【００５０】
ＰＯＰＩＤ７１は、作成され記憶部１５に記憶されているＰＯＰデータの識別情報である。テンプレートＩＤ７２は、ＰＯＰＩＤ７１のＰＯＰデータに用いられたテンプレートの識別情報である。料理７３は、テンプレートＩＤ７２のテンプレートに対応する料理名である。分類７４は、テンプレートＩＤ７２のテンプレートに対応する副分類である。
【００５１】
ユーザＩＤ７５は、ＰＯＰＩＤ７１のＰＯＰデータを作成したユーザの識別情報である。作成日時７６は、ＰＯＰＩＤ７１のＰＯＰデータを作成した日時情報である。更新日時７７は、ＰＯＰＩＤ７１のＰＯＰデータを更新した日時情報である。
【００５２】
つぎに、図５〜図１１を参照して、広告作成支援システム１の動作を説明する。図５は、ＰＯＰデータ管理処理を示すフローチャートである。図６は、ＰＯＰデータ作成処理を示すフローチャートである。図７（ａ）は、ホーム画面１００を示す図である。図７（ｂ）は、ＰＯＰ情報入力画面２００を示す図である。図８は、テンプレート選択画面３００を示す図である。図９は、ＰＯＰデータ登録結果画面４００を示す図である。図１０は、人気Ｎｏ．１のテンプレートＴ２２１を用いたＰＯＰデータＰＯ２を示す図である。図１１は、本日限定のテンプレートＴ２４１を用いたＰＯＰデータＰＯ３を示す図である。
【００５３】
図５、図６を参照して、ＰＯＰサーバ１０で実行されるＰＯＰデータ管理処理を説明する。ＰＯＰデータ管理処理は、ログインしたユーザの撮った料理の写真の画像データに応じて、ＰＯＰデータ作成の支援を行い、作成したＰＯＰデータの管理を行う処理である。ここで、ＰＯＰサーバ１０は、ＰＯＰデータ管理処理において、通信ネットワークＮを介する通信を用いて、ユーザが操作する端末装置３０に表示情報を送信して表示させ、端末装置３０を介して当該ユーザから操作入力された入力情報を受信する。このため、便宜的に、ＰＯＰサーバ１０のＣＰＵ１１が、端末装置３０の表示部３４に表示情報を表示し、操作部３２を介してユーザから入力情報の入力を受け付けることとして説明する。
【００５４】
広告作成支援システム１において、ある飲食店舗のオーナーなどであるユーザから、所持する端末装置３０の操作部３２を介してＰＯＰデータ管理処理の実行指示が入力されたことをトリガとして、ＰＯＰサーバ１０のＣＰＵ１１は、記憶部１５から読み出されＲＡＭ１３に展開されたＰＯＰデータ管理プログラムＰ１との協働でＰＯＰデータ管理処理を実行する。
【００５５】
図５に示すように、まず、ＣＰＵ１１は、ログイン画面データを作成して表示部３４に表示し、操作部３２を介してログインＩＤ及びパスワードの入力を受け付け、記憶部１５に記憶されたユーザテーブル５０のログインＩＤ５３及びパスワード５４を用いて、ログインＩＤ及びパスワードを入力したユーザのログイン認証を行う（ステップＳ１）。そして、ＣＰＵ１１は、ログイン認証が成功したか否かを判別する（ステップＳ２）。
【００５６】
ログイン認証が失敗した場合（ステップＳ２；ＮＯ）、ステップＳ１に移行される。ログイン認証が成功した場合（ステップＳ２；ＹＥＳ）、ログインユーザのユーザＩＤ５１が決まり、ＣＰＵ１１は、ホーム画面データを生成して表示部３４に表示する（ステップＳ３）。ステップＳ３では、例えば、図７（ａ）に示すホーム画面１００が表示される。
【００５７】
ホーム画面１００は、ＰＯＰ作成ボタン１１０、共有ボタン１２０、ホームページ登録ボタン１３０、印刷ボタン１４０、ＰＯＰデータ表示領域１５０、写真登録ボタン１６０、ホームページ確認ボタン１７０を有する。
【００５８】
ＰＯＰ作成ボタン１１０は、ＰＯＰ作成処理の実行のタッチ入力を受け付けるボタンである。共有ボタン１２０は、作成したＰＯＰデータを所定のＳＮＳのユーザアカウントに投稿する処理を起動するボタンである。ホームページ登録ボタン１３０は、作成したＰＯＰデータを所定のユーザのホームページに掲載する処理を起動するボタンである。印刷ボタン１４０は、作成したＰＯＰデータを印刷装置４０などに印刷するＰＯＰデータ印刷処理を起動するボタンである。
【００５９】
ＰＯＰデータ表示領域１５０は、直近に作成又は更新した所定数のＰＯＰデータを表示する領域である。ＰＯＰデータ表示領域１５０のＰＯＰデータは、例えば、作成日時又は更新日時が現在日時から近いものから順に左から並べられるものとする。
【００６０】
写真登録ボタン１６０は、ユーザが端末装置３０を用いて撮影した写真の画像データなどをＰＯＰサーバ１０の記憶部１５に記憶して登録する処理を起動するボタンである。ホームページ確認ボタン１７０は、ユーザのホームページを確認のため表示する処理を起動するボタンである。
【００６１】
図５に戻り、ＣＰＵ１１は、操作部３２を介するユーザからのＰＯＰ作成ボタン１１０のタッチ入力があるか否かを判別する（ステップＳ４）。ＰＯＰ作成ボタン１１０のタッチ入力がある場合（ステップＳ４；ＹＥＳ）、ＣＰＵ１１は、ＰＯＰデータを作成するＰＯＰデータ作成処理を実行し（ステップＳ５）、ステップＳ３に移行する。ステップＳ５のＰＯＰデータ作成処理は、詳細に後述する。
【００６２】
ＰＯＰ作成ボタン１１０のタッチ入力がない場合（ステップＳ４；ＮＯ）、ＣＰＵ１１は、操作部３２を介するユーザからの印刷ボタン１４０のタッチ入力があるか否かを判別する（ステップＳ６）。印刷ボタン１４０のタッチ入力がある場合（ステップＳ６；ＹＥＳ）、ＣＰＵ１１は、ステップＳ５で作成され記憶部１５に記憶されているＰＯＰデータのうちから、操作部３２を介してユーザにより選択されたＰＯＰデータを印刷装置４０で印刷するＰＯＰデータ印刷処理を実行し（ステップＳ７）、ステップＳ３に移行する。
【００６３】
印刷ボタン１４０のタッチ入力がない場合（ステップＳ６；ＮＯ）、ＣＰＵ１１は、操作部３２を介してユーザから、ホーム画面１００のＰＯＰ作成ボタン１１０又は印刷ボタン１４０以外のその他のボタンのタッチ入力があるか否かを判別する（ステップＳ８）。その他のボタンのタッチ入力がある場合（ステップＳ８；ＹＥＳ）、ＣＰＵ１１は、タッチ入力されたボタンに応じたその他の処理を実行し（ステップＳ９）、ステップＳ３に移行する。
【００６４】
ステップＳ８で、共有ボタン１２０がタッチ入力された場合、ＣＰＵ１１は、ユーザテーブル５０のログインユーザのＳＮＳ情報５７を用いて、ステップＳ５で作成され記憶部１５に記憶されているＰＯＰデータのうちから、操作部３２を介してユーザにより選択されたＰＯＰデータを所定のＳＮＳのユーザのアカウントに投稿する処理を行う。ステップＳ８で、ホームページ登録ボタン１３０がタッチ入力された場合、ＣＰＵ１１は、ユーザテーブル５０のログインユーザのＨＰ情報５６を用いて、ステップＳ５で作成され記憶部１５に記憶されているＰＯＰデータのうちから、操作部３２を介してユーザにより選択されたＰＯＰデータを、記憶部１５のユーザのホームページのファイルの格納場所に入れて対応付けてホームページに登録する処理を行う。
【００６５】
ステップＳ８で、ＰＯＰデータ表示領域１５０（のもっと見る）がタッチ入力された場合、ＣＰＵ１１は、ステップＳ５で作成され記憶部１５に記憶されているＰＯＰデータの一覧画面を表示部３４に表示し、操作部３２を介してユーザにより選択されたＰＯＰデータを大きく表示して、適宜その更新（編集）が可能な処理を実行する。例えば、選択されたＰＯＰデータのテンプレートは同じで、写真や文字（メニュー名、値段）を更新するような処理が可能である。更新した場合には、ＣＰＵ１１は、更新したＰＯＰデータを記憶部１５に記憶し、ＰＯＰ履歴テーブル７０の更新したＰＯＰＩＤ４１の更新日時に、計時部の１７から取得した現在日時情報を書き込む。
【００６６】
ステップＳ８で、写真登録ボタン１６０がタッチ入力された場合、ＣＰＵ１１は、撮像部３７で撮影され生成された写真の画像データ、記憶部３５のフォルダ（アルバムと表現する）から操作部３２を介してユーザから選択された写真の画像データなどを、記憶部１５のマイ画像場所５５に格納する。ステップＳ８で、ホームページ確認ボタン１７０がタッチ入力された場合、ＣＰＵ１１は、記憶部１５のユーザテーブル５０のＨＰ情報５６を用いて、ログインユーザのホームページを表示部３４に表示する。
【００６７】
その他のボタンのタッチ入力がない場合（ステップＳ８；ＮＯ）、ＣＰＵ１１は、操作部３２を介するユーザからのＰＯＰデータ管理処理の終了入力があるか否かを判別する（ステップＳ１０）。終了入力がない場合（ステップＳ１０；ＮＯ）、ステップＳ３に移行される。終了入力がある場合（ステップＳ１０；ＹＥＳ）、ＰＯＰデータ管理処理を終了する。
【００６８】
ついで、図６を参照して、ステップＳ５のＰＯＰデータ作成処理を説明する。まず、ＣＰＵ１１は、写真選択画面データを作成して表示部３４に表示する（ステップＳ２１）。ステップＳ２１では、例えば、図７（ｂ）に示すＰＯＰ情報入力画面２００が表示される。
【００６９】
ＰＯＰ情報入力画面２００は、画像表示領域２１０、カメラ画像取得ボタン２２０、アルバム画像取得ボタン２３０、マイ画像取得ボタン２４０、メニュー名入力領域２５０、値段入力領域２６０、作成ボタン２７０を有する。
【００７０】
画像表示領域２１０は、取得されたＰＯＰ用の料理の写真の画像データを表示する領域である。カメラ画像取得ボタン２２０は、撮像部３７を介して被写体としてのＰＯＰ用の料理を撮影して画像データを生成する処理を起動するためのタッチ入力を受け付けるボタンである。
【００７１】
アルバム画像取得ボタン２３０は、記憶部３５に記憶されたＰＯＰ用の料理の写真の画像データを選択して取得する処理を起動するためのタッチ入力を受け付けるボタンである。マイ画像取得ボタン２４０は、記憶部１５のユーザテーブル５０のログインユーザのマイ画像場所５５に記憶されたＰＯＰ用の料理の写真の画像データを選択して取得する処理を起動するためのタッチ入力を受け付けるボタンである。カメラ画像取得ボタン２２０、アルバム画像取得ボタン２３０又はマイ画像取得ボタン２４０のタッチ入力により、ＣＰＵ１１で実行された各処理により取得された写真の画像データが画像表示領域２１０に表示される。
【００７２】
メニュー名入力領域２５０は、操作部３２を介するユーザからの画像表示領域２１０に表示された料理のメニュー名の入力を受け付ける領域である。値段入力領域２６０は、操作部３２を介するユーザからの画像表示領域２１０に表示された料理の値段の入力を受け付ける領域である。作成ボタン２７０は、写真の画像データの取得、メニュー名、値段の入力を決定してＰＯＰ作成を行うタッチ入力を受け付けるボタンである。
【００７３】
なお、図７（ｂ）のＰＯＰ情報入力画面２００に示すように、入力された写真の画像データ、メニュー名及び値段を次回のＰＯＰ作成に用いるために記憶部１５に記憶する指示入力を受け付けるためのチェックボックスを含む構成としてもよい。
【００７４】
図６に戻り、ＣＰＵ１１は、操作部３２を介するユーザからカメラ画像取得ボタン２２０、アルバム画像取得ボタン２３０又はマイ画像取得ボタン２４０のタッチ入力により、写真の画像データの選択指示を受け付けたか否かを判別する（ステップＳ２２）。写真の画像データの選択指示が入力された場合（ステップＳ２２；ＹＥＳ）、ＣＰＵ１１は、タッチ入力されたカメラ画像取得ボタン２２０、アルバム画像取得ボタン２３０又はマイ画像取得ボタン２４０に対応する写真の画像データの取得のための処理を実行し、写真の画像データを取得し（ステップＳ２３）、ステップＳ２１に移行する。
【００７５】
写真の画像データの選択指示が入力されていない場合（ステップＳ２２；ＮＯ）、ＣＰＵ１１は、操作部３２を介するユーザからのメニュー名入力領域２５０へのメニュー名入力と、値段入力領域２６０への値段入力とを受け付ける（ステップＳ２４）。ただし、ステップＳ２４は、必須ではないため、入力されなくてもよいものとする。
【００７６】
そして、ＣＰＵ１１は、少なくともステップＳ２３で写真の画像データが選択（取得）された後に、操作部３２を介するユーザから作成ボタン２７０がタッチ入力されて、ＰＯＰデータの作成指示が入力されたか否かを判別する（ステップＳ２５）。ＰＯＰデータの作成指示が入力されていない場合（ステップＳ２５；ＮＯ）、ステップＳ２１に移行される。
【００７７】
ＰＯＰデータの作成指示が入力された場合（ステップＳ２５；ＹＥＳ）、ＣＰＵ１１は、通信部１６を介して、ステップＳ２３で取得された写真の画像データを画像解析サーバ２０へ送信する（ステップＳ２６）。ここでは、図７（ｂ）に示すように、例えば、ピザの写真の画像データＦ１が取得され、メニュー名として「マルゲリータ」が入力され、値段として「１０００（円）」が入力されたものとする。
【００７８】
そして、ＣＰＵ１１は、通信部１６を介して、ステップＳ２６で送信された写真の画像データの画像解析の結果情報を画像解析サーバ２０から受信する（ステップＳ２８）。画像解析の結果情報は、例えば、「ピザ：９５％、ラーメン：５％」となる。そして、ＣＰＵ１１は、テンプレート選択画面データにおけるＰＯＰデータ用に選択される候補となるテンプレートの分類、デザインのバリエーションについての並び順を決定する（ステップＳ２８）ここでは、例えば、テンプレート選択画面データにおいて、テンプレートの主分類及び副分類が、特化型、料理と、汎用型、人気Ｎｏ．１と、汎用型、本日限定と、の３つの分類の並び順と、デザインのバリエーションについてテンプレートテーブル６０のテンプレートＩＤの格納順とした並び順と、が予め設定されているものとするが、この並び順、分類の種類、分類及びデザインのバリエーションのテンプレート数に限定されるものではない。
【００７９】
そして、ＣＰＵ１１は、ステップＳ２３で取得された写真の画像データ、ステップＳ２４で入力されたメニュー名、値段と、ステップＳ２７で得られた画像解析の結果情報、ステップＳ２８で決定されたテンプレートの並び順と、記憶部１５に記憶されたユーザテーブル５０、テンプレートテーブル６０及びテンプレートとを用いて、テンプレート選択画面データを作成して表示部３４に表示する（ステップＳ２９）。ステップＳ２９では、例えば、図８に示すテンプレート選択画面３００が表示される。
【００８０】
テンプレート選択画面３００は、表示領域３０１、表示領域３３０、戻るボタン３４０、登録ボタン３５０を有する。表示領域３０１は、選択入力可能なテンプレート（のサムネイル）を表示する領域であり、テンプレート分類表示領域３１０、テンプレート表示領域３２０を有する。テンプレート分類表示領域３１０は、テンプレートテーブル６０のレコードのうち、ステップＳ２７で得られた画像解析の結果情報でヒット率が最も高い料理名をキーワード６４に含むグループ名６３のレコードのテンプレートＩＤ６５の最初のテンプレートＩＤのテンプレートと、副分類６２が人気Ｎｏ．１でログインユーザの業態５２に対応するグループ名６３のレコードのテンプレートＩＤ６５の最初のテンプレートＩＤのテンプレートと、副分類６２が本日限定のグループ名６３のレコードのテンプレートＩＤ６５の最初のテンプレートＩＤのテンプレートと、のサムネイルを、表示領域３３０の周囲の上側でかつ横方向に順（ステップＳ２８で決定された並び順）に配置して表示し、表示されたテンプレート（のサムネイル）の選択のタッチ入力を受け付ける。
【００８１】
テンプレート分類表示領域３１０において、例えば、グループ名６３がピザのテンプレートＩＤ６５の最初のテンプレートＩＤがＴ１１１のテンプレート（のサムネイル）３１１と、グループ名６３がログインユーザの業態５２の洋食に対応する人気Ｎｏ．１（洋）のテンプレートＩＤ６５の最初のテンプレートＩＤがＴ２２１のテンプレート（のサムネイル）３１２と、グループ名６３が本日限定のテンプレートＩＤ６５の最初のテンプレートＩＤがＴ２２１のテンプレート（のサムネイル）３１３と、が左から右へ順に配置されている。
【００８２】
テンプレート表示領域３２０は、テンプレートテーブル６０のレコードのうち、テンプレート分類表示領域３１０で選択されているテンプレートが含まれるテンプレートＩＤ６５のレコードの互いにデザインのバリエーション（色）が異なる全てのテンプレートＩＤのテンプレートのサムネイルを、表示領域３３０の周囲の左側でかつ縦方向に順（テンプレートＩＤ６５の格納順）に配置して表示し、表示されたテンプレート（のサムネイル）の選択のタッチ入力を受け付ける。
【００８３】
テンプレート分類表示領域３１０でピザのテンプレート３１１が選択されている場合に、テンプレート表示領域３２０において、例えば、グループ名６３がピザのテンプレートＩＤ６５のテンプレートＩＤがＴ１１１，Ｔ１１２，Ｔ１１３のテンプレート（のサムネイル）３２１，３２２，３２３が上から下へ順に配置される。また、ピザのテンプレート３１２が選択されている場合に、テンプレート表示領域３２０において、例えば、グループ名６３が人気Ｎｏ１（洋）のテンプレートＩＤ６５のテンプレートＩＤがＴ２２１，Ｔ２２２，Ｔ２２３のテンプレート（のサムネイル）が上から下へ順に配置される。このように、テンプレート分類表示領域３１０及びテンプレート表示領域３２０の各テンプレート（のサムネイル）は、選択のタッチ入力を受け付けるソフトキーとして機能する。
【００８４】
ＰＯＰデータ表示領域３３０は、テンプレート分類表示領域３１０で選択されたテンプレートの分類に対応してテンプレート表示領域３２０で選択中のテンプレートに、ステップＳ２３で選択された写真の画像データと、ステップＳ２４で入力されたメニュー名及び値段とを合成したＰＯＰデータを表示するプレビュー表示領域である。ＰＯＰデータ表示領域３３０は、例えば、ピザのテンプレート３１１が選択され、これに対応するテンプレート３２１が選択されると、この選択に対応するテンプレートＴ１１１に、ピザの写真の画像データＦ１、料理名（マルゲリータ）及び値段（￥１０００）が合成されたＰＯＰデータＰＯ１が表示されている。また、ＰＯＰデータ表示領域３３０に表示されているＰＯＰデータのうちの写真の画像データ（及びメニュー名、値段）は、操作部３２を介するユーザ入力に応じて適宜位置調整が可能であるものとする。
【００８５】
本実施の形態では、テンプレート分類表示領域３１０のテンプレートの選択入力をした後に、テンプレート表示領域３２０の各テンプレートの選択入力をすることで、１つのテンプレートが選択される２アクションの選択入力方式の構成である。また、テンプレート３１１と、テンプレート３１１が選択入力された場合のテンプレート３２１とは、同じ表示のテンプレートとなる。しかし、これに限定されるものではない。例えば、テンプレート分類表示領域３１０のテンプレート（例えばテンプレート３１１）の選択入力をすると、テンプレート表示領域３２０の対応するテンプレート（例えばテンプレート３１１に対応するテンプレート３２１）が自動的に選択される１アクションの選択入力方式の構成としてもよい。また、テンプレート３１１が選択入力された場合に、テンプレート３１１と同じ表示のテンプレート３２１の表示を省略する構成としてもよい。このように、選択されたテンプレートを含むＰＯＰデータが切り替え可能に表示領域３３０に表示される。
【００８６】
戻るボタン３４０は、テンプレート選択画面３００の前の画面（ＰＯＰ情報入力画面２００）に戻る指示のタッチ入力を受け付けるボタンである。登録ボタン３５０は、ＰＯＰデータ表示領域３３０に表示中のＰＯＰデータの登録指示のタッチ入力を受け付けるボタンである。
【００８７】
図６に戻り、ＣＰＵ１１は、操作部３２を介してユーザから（テンプレート分類表示領域３１０及び）テンプレート表示領域３２０のテンプレートの選択入力があるか否かを判別する（ステップＳ３０）。テンプレートの選択入力がある場合（ステップＳ３０；ＹＥＳ）、ステップＳ２９に移行される。テンプレートの選択入力がない場合（ステップＳ３０；ＮＯ）、ＣＰＵ１１は、操作部３２を介してユーザから登録ボタン３５０のタッチ入力により、テンプレート決定の入力があるか否かを判別する（ステップＳ３１）。テンプレート決定の入力がない場合（ステップＳ３１；ＮＯ）、ステップＳ２９に移行される。
【００８８】
テンプレート決定の入力がある場合（ステップＳ３１；ＹＥＳ）、ＣＰＵ１１は、ステップＳ２３で取得された写真の画像データ、ステップＳ２４で入力されたメニュー名、値段と、ステップＳ３０で選択されたテンプレートとを用いて、ＰＯＰデータを作成して記憶部１５に記憶して登録し、当該作成したＰＯＰデータに対応する登録情報を生成してＰＯＰ履歴テーブル７０に格納する（ステップＳ３２）。登録情報は、ステップＳ３２で生成されたＰＯＰデータに対応してＣＰＵ１１により付与されたＰＯＰＩＤ、ステップＳ３２で合成されたテンプレートのテンプレートＩＤ、ステップＳ２７で取得された結果情報の料理名、当該テンプレートの副分類、ログインユーザのユーザＩＤ５１、計時部１７から取得された現在日時情報に対応する作成日時であり、ＰＯＰ履歴テーブル７０の更新日時７７以外の各カラムのレコードに格納される。
【００８９】
そして、ＣＰＵ１１は、ステップＳ３２で登録されたＰＯＰデータおよび登録情報を用いて、ＰＯＰ登録画面データを生成して表示部３４に表示し（ステップＳ３３）、ＰＯＰデータ作成処理を終了する。ステップＳ３３では、例えば、図９に示すＰＯＰデータ登録結果画面４００が表示される。
【００９０】
ＰＯＰデータ登録結果画面４００は、ＰＯＰデータ表示領域４１０、料理名表示領域４２０、用紙サイズ表示領域４３０、作成日時表示領域４４０、更新日時表示領域４５０、ＳＮＳ投稿ボタン４６０、ホームページ登録ボタン４７０、印刷ボタン４８０を有する。
【００９１】
ＰＯＰデータ表示領域４１０は、登録されたＰＯＰデータを表示する領域である。料理名表示領域４２０は、ＰＯＰデータ表示領域４１０のＰＯＰデータに対応する料理名を表示する領域である。用紙サイズ表示領域４３０は、ＰＯＰデータ表示領域４１０のＰＯＰデータに対応する用紙サイズを表示する領域である。ここでは、ＰＯＰデータがＡ４サイズで一定であるものとするが、これに限定されるものではない。
【００９２】
作成日時表示領域４４０は、ＰＯＰデータ表示領域４１０のＰＯＰデータに対応する作成日時を表示する領域である。更新日時表示領域４５０は、ＰＯＰデータ表示領域４１０のＰＯＰデータに対応する更新日時を表示する領域であるが、更新でない場合には更新日時が表示されない。ＳＮＳ投稿ボタン４６０、ホームページ登録ボタン４７０、印刷ボタン４８０は、それぞれ、ＰＯＰデータ表示領域４１０のＰＯＰデータに対応する共有ボタン１２０、ホームページ登録ボタン１３０、印刷ボタン１４０と同様のボタンである。
【００９３】
また、テンプレート選択画面３００において、人気Ｎｏ．１のテンプレート３１２に対応するテンプレート表示領域３２０のテンプレートが選択されると、図１０に示すように、この選択とログインユーザの業態（洋食）とに対応するテンプレートＴ２２１に、ピザの写真の画像データＦ１、料理名（マルゲリータ）及び値段（￥１０００）が合成されたＰＯＰデータＰＯ２が表示領域３３０にプレビュー表示され、ユーザ指示により最終的なＰＯＰデータとして作成される。
【００９４】
また、テンプレート選択画面３００において、本日限定のテンプレート３１３に対応するテンプレート表示領域３２０のテンプレートが選択されると、図１１に示すように、この選択に対応するテンプレートＴ２４１に、ピザの写真の画像データＦ１、料理名（マルゲリータ）及び値段（￥１０００）が合成されたＰＯＰデータＰＯ３が表示領域３３０にプレビュー表示され、ユーザ指示により最終的なＰＯＰデータとして作成される。
【００９５】
以上、本実施の形態によれば、ＰＯＰサーバ１０は、所定の表示領域を少なくとも表示領域３０１と表示領域３３０とに分割設定し、入力された写真の画像データに基づいて所定の画像解析で特定された特定型分類の広告テンプレート（テンプレート３１１，３２１，３２２，３２３）を、汎用型分類の広告テンプレート（テンプレート３１２，３１３）とともに、表示領域３０１に表示させるＣＰＵ１１を備える。ＣＰＵ１１は、表示領域３０１に表示されている特定型分類のテンプレート３１１，３２１，３２２，３２３及び汎用型分類のテンプレート３１２，３１３のなかから何れかの広告テンプレートが選択された場合に、選択された広告テンプレートに、入力された写真が当て嵌められたＰＯＰデータを、表示領域３３０にプレビュー表示させる。
【００９６】
このため、目的に合うように特化型分類及び汎用型分類の広告テンプレートを自在に選択でき、ＰＯＰデータを容易に事前確認できる。
【００９７】
また、ＣＰＵ１１は、表示領域３０１を、広告テンプレートグループ（分類）に属している広告テンプレートを例示代表するための例示代表広告テンプレート（テンプレート３１１，３１２，３１３）が、複数の広告テンプレートグループに対して表示されるテンプレート分類表示領域３１０と、テンプレート分類表示領域３１０に表示されている複数の例示代表広告テンプレートのなかから何れかの例示代表広告テンプレートが選択された場合に、この選択された例示代表広告テンプレート（例えばテンプレート３１１）と同じ広告テンプレートグループに属している広告テンプレート（テンプレート３２１，３２２，３２３）が表示されるテンプレート表示領域３２０と、に分割設定する。広告テンプレートグループは、特定型分類の広告テンプレート及び汎用型分類の広告テンプレートのいずれか１つを含む複数の広告テンプレートからなるグループである。このため、目的に合うように広告テンプレートグループの例示代表広告テンプレート及び同じ広告テンプレートグループに属する広告テンプレートを自在に選択でき、選択した広告テンプレートを含むＰＯＰデータを事前確認できる。
【００９８】
また、テンプレート分類表示領域３１０は、複数の例示代表広告テンプレートが、所定の方向（例えば横方向）に並べて表示されるように設定されている。第２サブ表示領域は、複数の広告テンプレートが、前記所定の方向に対して直交する方向（例えば縦方向）に並べて表示されるように設定されている。このため、例示代表広告テンプレートと、例示代表広告テンプレートと同じ広告テンプレートグループの広告テンプレートと、をユーザが明確に識別して容易に選択できる。
【００９９】
また、ＣＰＵ１１は、テンプレート分類表示領域３１０及びテンプレート表示領域３２０を、表示領域３３０の周囲に位置するように設定する。このため、例示代表広告テンプレートと、例示代表広告テンプレートと同じ広告テンプレートグループの広告テンプレートとを、ユーザが表示領域３３０のプレビュー表示されたＰＯＰデータを参照して自在に選択できる。
【０１００】
また、ＰＯＰサーバ１０は、所定の画像解析により、入力された写真の画像データの被写体の種類を画像解析して被写体の種類（料理名）を出力する画像解析サーバ２０に、入力された写真の画像データを入力して料理名を取得する通信部１６を備える。ＣＰＵ１１は、取得された料理名に対応する特化型分類のテンプレートを表示部３４に表示させる。このため、写真の画像データから、その被写体の種類（料理名）を自動的に画像解析でき、画像解析された被写体の種類に対応する適切なテンプレートを選択可能にＰＯＰデータをプレビュー表示できる。
【０１０１】
また、画像解析サーバ２０は、人工知能により、入力された写真の画像データとその被写体の種類との対応の学習を行う。画像解析サーバ２０の画像解析は、学習の結果を用いて、入力された写真の画像データの被写体の種類を特定する画像解析である。このため、より正確に被写体の種類（料理名）を画像解析できる。
【０１０２】
以上の説明では、本発明に係るプログラムのコンピュータ読み取り可能な媒体としてフラッシュメモリなどの不揮発性の記憶部を使用した例を開示したが、この例に限定されない。その他のコンピュータ読み取り可能な媒体として、ＣＤ−ＲＯＭ、メモリカードなどの可搬型記録媒体を適用することが可能である。また、本発明に係るプログラムのデータを通信回線を介して提供する媒体として、キャリアウエーブ（搬送波）も本発明に適用される。
【０１０３】
なお、上記実施の形態における記述は、本発明に係る広告作成支援装置及びプログラムの一例であり、これに限定されるものではない。
【０１０４】
例えば、上記実施の形態では、ＰＯＰデータ管理処理のステップＳ２８でテンプレートテーブル６０の主分類６１及び副分類６２の登録順（レコード順）に対応する予め固定されたテンプレートの並び順（料理、人気Ｎｏ．１、本日限定の順）が決定されたが、これに限定されるものではない。例えば、ＰＯＰ履歴テーブル７０の分類７４のレコードが多い順に、テンプレート分類表示領域３１０の各分類のテンプレートを選択しやすい順（例えば、左から右）に配置する構成としてもよい。テンプレート表示領域３２０についても、ＰＯＰデータの作成に用いられたテンプレートのデザインのバリエーションの内容（色など）が多い順に、各内容のテンプレートを選択しやすい順（例えば、上から下）に配置する構成としてもよい。
【０１０５】
また、上記実施の形態では、テンプレート分類表示領域３１０で横方向にテンプレートを配置し、テンプレート表示領域３２０で縦方向にテンプレートを配置する構成としたが、これに限定されるものでない。例えば、テンプレート分類表示領域３１０及びテンプレート表示領域３２０の配置を入れ替え、テンプレート分類表示領域３１０で縦方向にテンプレートを配置し、テンプレート表示領域３２０で横方向にテンプレートを配置する構成としてもよい。
【０１０６】
また、ＰＯＰデータに用いられた写真の画像データ及びその被写体の種類（料理名）は、再度、画像解析サーバ２０の学習に用いる構成としてもよい。また、画像解析サーバ２０は、写真の画像データの被写体の種類として料理の素材（野菜、肉、加工具材、ソースなど）を画像解析する構成とし、当該料理の素材を分類（例えば、副分類の料理名の下位の分類）としてテンプレートが用意され、当該分類のテンプレートを選択可能に表示してＰＯＰデータ作成に用いる構成としてもよい。例えば、分類としての料理名、素材に対応するキャッチコピーが入ったテンプレートが用意される。
【０１０７】
また、上記実施の形態では、飲食店舗におけるＰＯＰデータ作成を説明したが、これに限定されるものではない。他業種においても、商品、サービスなどの写真の画像データをテンプレートに合成してＰＯＰデータを作成する場合に、画像解析サーバ２０が、入力された写真の画像データから被写体の種類として商品、サービスなどを画像解析するものとして、分類として商品、サービスなどに対応付けられたテンプレートを予め用意しておき、当該分類のテンプレートを選択可能に表示してＰＯＰデータ作成に用いる構成としてもよい。
【０１０８】
また、上記実施の形態では、ＰＯＰサーバ１０と、画像解析サーバ２０とが別の装置である構成としたが、これに限定されるものではない。例えば、ＰＯＰサーバ１０が、画像解析サーバ２０の画像解析機能を有する構成としてもよい。
【０１０９】
また、上記実施の形態における広告作成支援システム１の各構成要素の細部構成及び細部動作に関しては、本発明の趣旨を逸脱することのない範囲で適宜変更可能であることは勿論である。
【０１１０】
本発明の実施の形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
所定の表示領域を少なくとも第１表示領域と第２表示領域とに分割設定する表示領域設定手段と、
入力された写真の画像データに基づいて所定の画像解析で特定された少なくとも１つの特定型分類の広告テンプレートを、複数の汎用型分類の広告テンプレートとともに、前記第１表示領域に表示させる第１表示制御手段と、
前記第１表示領域に表示されている前記少なくとも１つの特定型分類の広告テンプレート及び前記複数の汎用型分類の広告テンプレートのなかから何れかの広告テンプレートが選択された場合に、当該広告テンプレートに前記入力された写真が当て嵌められた広告を、前記第２表示領域にプレビュー表示させる第２表示制御手段と、
を備えたことを特徴とする広告作成支援装置。
＜請求項２＞
前記表示領域設定手段は、前記第１表示領域を、
広告テンプレートグループに属している広告テンプレートを例示代表するための例示代表広告テンプレートが、複数の広告テンプレートグループに対して表示される第１サブ表示領域と、
前記第１サブ表示領域に表示されている複数の例示代表広告テンプレートのなかから何れかの例示代表広告テンプレートが選択された場合に、この選択された例示代表広告テンプレートと同じ広告テンプレートグループに属している広告テンプレートが表示される第２サブ表示領域と、
に分割設定する、
ことを特徴とする請求項１に記載の広告作成支援装置。
＜請求項３＞
前記広告テンプレートグループは、前記特定型分類の広告テンプレート及び前記汎用型分類の広告テンプレートのいずれか１つを含む複数の広告テンプレートからなるグループである、
ことを特徴とする請求項２に記載の広告作成支援装置。
＜請求項４＞
前記第１サブ表示領域は、複数の例示代表広告テンプレートが、所定の方向に並べて表示されるように設定されており、
前記第２サブ表示領域は、複数の広告テンプレートが、前記所定の方向に対して直交する方向に並べて表示されるように設定されている、
ことを特徴とする請求項２又は３に記載の広告作成支援装置。
＜請求項５＞
前記表示領域設定手段は、前記第１サブ表示領域及び前記第２サブ表示領域を、前記第２表示領域の周囲に位置するように設定する、
ことを特徴とする請求項２から４の何れか一項に記載の広告作成支援装置。
＜請求項６＞
前記所定の画像解析により、写真の画像データの被写体の種類を画像解析して当該被写体の種類を出力する画像解析手段に、前記入力された写真の画像データを入力して被写体の種類を取得する取得手段を備え、
前記第１表示制御手段は、前記取得された被写体の種類に対応する特化型分類の広告テンプレートを表示させる、
ことを特徴とする請求項１から５の何れか一項に記載の広告作成支援装置。
＜請求項７＞
前記画像解析手段は、人工知能により、入力された写真の画像データとその被写体の種類との対応の学習を行い、
前記所定の画像解析は、前記学習の結果を用いて前記入力された写真の画像データの被写体の種類を特定する画像解析である請求項６に記載の広告作成支援装置。
＜請求項８＞
前記プレビュー表示された広告に基づいて、広告データを作成する広告データ作成手段を備える、
ことを特徴とする請求項１から７の何れか一項に記載の広告作成支援装置。
＜請求項９＞
コンピュータを、
所定の表示領域を少なくとも第１表示領域と第２表示領域とに分割設定する表示領域設定手段、
入力された写真の画像データに基づいて所定の画像解析で特定された少なくとも１つの特定型分類の広告テンプレートを、複数の汎用型分類の広告テンプレートとともに、前記第１表示領域に表示させる第１表示制御手段、
前記第１表示領域に表示されている前記少なくとも１つの特定型分類の広告テンプレート及び前記複数の汎用型分類の広告テンプレートのなかから何れかの広告テンプレートが選択された場合に、当該広告テンプレートに前記入力された写真が当て嵌められた広告を、前記第２表示領域にプレビュー表示させる第２表示制御手段、
として機能させるためのプログラム。
【符号の説明】
【０１１１】
１  広告作成支援システム
１０  ＰＯＰサーバ
１１  ＣＰＵ
１２  操作部
１３  ＲＡＭ
１４  表示部
１５  記憶部
１６  通信部
１７  計時部
１８  バス
２０  画像解析サーバ
３０  端末装置
３１  ＣＰＵ
３２  操作部
３３  ＲＡＭ
３４  表示部
３５  記憶部
３６  無線通信部
３７  撮像部
３８  通話部
３９  バス
４０  印刷装置
Ｎ  通信ネットワーク
【図１】
2020087280.tif 000003
【図２】
2020087280.tif 000004
【図３】
2020087280.tif 000005
【図４】
2020087280.tif 000006
【図５】
2020087280.tif 000007
【図６】
2020087280.tif 000008
【図７】
2020087280.tif 000009
【図８】
2020087280.tif 000010
【図９】
2020087280.tif 000011
【図１０】
2020087280.tif 000012
【図１１】
2020087280.tif 000013